(57)【要約】      （修正有）【課題】より大きい美化効果をもたらすラジエーターカーバとバンパーの発光装置を提供する。【解決手段】主として、網枠ラジエーターカバーの裏側面に、適当な大きさである発光装置２を螺着し、当該発光装置は、造型板２０と、LED灯２１０が設けられる回路板２１と、底板２２とからなり、当該回路板を当該造型板と底板との間に設けれることにより、発光装置が構成され、その後、当該発光装置を網枠の後方に位置させて、ねじ４で網枠と発光装置を車のラジエーターカーバやバンパーに螺着して使用し、当該発光装置が発光することにより、車の美観性が向上される。【選択図】図２
0003116650.tif 000002
【実用新案登録請求の範囲】
【請求項１】
主として、網枠と発光装置とからなるラジエーターカーバとバンパーの発光装置であって、
網枠は、枠の裏側面において、適当な位置に複数のねじ穴が設けられ、
発光装置は、主として、造型板と、LED灯が設けられる回路板と、底板とからなり、当該造型板は、適当な大きさを有し、好みにより各々の造型に設計することができ、その両側において、適当な位置にねじ穴が設けられ、当該ねじ穴は、網枠の裏側面に設けられるねじ穴とそれぞれに対応し、その底部において、適当な位置に回路板にあるLED灯を露出するための貫通穴が設けれ、また、当該造型板の外側面には、複数の円弧突出が形成され、回路板は、その一側面にLED灯が設けられ、底板は、外型と大きさが造型板と同一であり、その底部に、回路板を収納する溝が設けられ、また、その両側にも、造型板の両側に設けられるねじ穴と対応するねじ穴が設けられ、
LED灯が造型板の底部に設けられる貫通穴から露出するように、回路板を底板の底部にある溝に挿設し、当該回路板を造型板と底板との間に設置することにより、発光装置が形成され、そして、当該発光装置を網枠の後方に位置付けて、ねじで当該底板と造型板及び網枠にそれぞれ対応するねじ穴に螺着する、
ことを特徴とするラジエーターカーバとバンパーの発光装置。
【請求項２】
底板において、その裏側面に、反射ステッカーが貼り付けられる、または、一層の蛍光塗料が塗られる、または、その射出成型の作製過程において蛍光剤が添加される、ことにより、当該LED灯の光の全てが、正面の造型板から射出する、ことを特徴とする請求項１に記載のラジエーターカーバとバンパーの発光装置。
【考案の詳細な説明】
【技術分野】
【０００１】
本実用新案は、車のラジエーターカーバとバンパー装置に関し、特に、ラジエーターカーバとバンパーの発光装置に関する。
【背景技術】
【０００２】
一般の市販の車のラジエーターカーバとバンパーは、単純に、外型について、形状や図柄を変化することにより、車の造型を美化する効果が得られるが、上記の変化方式によっては、制限があるため、大きな効果が得られない。
【０００３】
本考案者は、車に使用されるラジエーターカーバとバンパーに、より大きい美化効果を持たせる、上記の問題を解消するため、長年の産業経験に基づいて、何度も試作することを介して、ラジエーターカーバとバンパーの発光装置を開発した。
【考案の開示】
【考案が解決しようとする課題】
【０００４】
本考案は、ラジエーターカーバとバンパーの発光装置を提供する。
【課題を解決するための手段】
【０００５】
図１乃至３を参照しながら、本考案に係わるラジエーターカーバとバンパーの発光装置は、主として、網枠(1)と、発光装置(2)とからなり、当該網枠(1)は、枠の裏側面において、適当な位置に複数のねじ穴(10)が設けられ、発光装置(2)は、主として、造型板(20)と、LED灯(210)が設けられる回路板(21)と、底板(22)とからなり、また、当該造型板(20)は、適当な大きさを有し、好みにより各々の造型に設計することができ、その両側において、適当な位置にねじ穴(201)が設けられ、当該ねじ穴(201)は、網枠(1)の裏側面に設けられるねじ穴(10)とそれぞれに対応し、その底部において、適当な位置に回路板(21)にあるLED灯(210)を露出するための貫通穴(202)が設けられ、また、当該造型板(20)の外側面には、複数の円弧突出(203)が形成され、回路板(21)は、その一側面にLED灯(210)が設けられ、底板(22)は、外型と大きさが造型板(20)と同一であり、その底部に、回路板(21)を収納する溝(220)が設けられ、また、その両側にも、造型板(20)の両側に設けられるねじ穴(201)と対応するねじ穴(221)が設けられ、当該底板(22)において、その裏側面には、反射ステッカー(3)が貼り付けられる、または、反射ステッカー(3)の代わりに一層の蛍光塗料が塗られる、または、その射出成型の作製過程において蛍光剤が添加される、ことができ、そして、そのLED灯(210)が造型板(20)の底部に設けられる貫通穴(202)から露出するように、回路板(21)を底板(22)の底部にある溝(220)に挿設し、当該回路板(21)を造型板(20)と底板(22)との間に設置することにより、発光装置(2)が形成され、そして、当該発光装置(2)を網枠(2)の後方に位置付けて、ねじ(4)で当該底板(22)と造型板(20)及び網枠(1)にそれぞれ対応するねじ穴(221)、(201)、(10)に螺着して、バンパーの発光装置が構成される。
【考案を実施するための最良の形態】
【０００６】
以下は、図面を参照しながら、本考案を詳しく説明する。
【０００７】
図４、５を参照しながら、車のラジエーターカーバやバンパーに実装する場合、当該発光装置(2)を通電すると、当該LED灯(210)が発光し、また、造型板(20)に設けられる円弧突出(203)を光の反射面として、光を均一的に造型板(20)から反射され、そして、当該底板(22)の裏側面に蛍光塗料や反射ステッカー(3)が設置されるため、当該LED灯(210)の光の全てが、正面の造型板(20)から射出し、これにより、当該造型板(20)の外形は、当該均一の光の照射により、夜間において、より明白的になり、そのため、当該車が夜間で走行する時、当該ラジエーターカーバやバンパーの設計により、美観性が向上される。
【０００８】
以上のように、本考案によれば、上記の設計により、車全体の美観性が向上され、また、本考案は、公的に披露されることがないから、実用新案の要件を満たすため、法に従って登録請求を出願する。
【図面の簡単な説明】
【０００９】
【図１】本考案の立体図
【図２】本考案の立体分解図
【図３】本考案の断面図
【図４】本考案の使用状態図
【図５】本考案の別の使用状態図
【符号の説明】
【００１０】
(1)           網枠
(10)          ねじ穴
(2)           発光装置
(20)          造型板
(201)         ねじ穴
(202)         貫通穴
(203)         円弧突出
(21)          回路板
(210)         LED灯
(22)          底板
(220)         溝
(221)         ねじ穴
(3)           反射ステッカー
(4)           ねじ
【図１】
0003116650.tif 000003
【図２】
0003116650.tif 000004
【図３】
0003116650.tif 000005
【図４】
0003116650.tif 000006
【図５】
0003116650.tif 000007